【事件の表示】
　特願２０１５−１１５６０６号「遊技機」拒絶査定不服審判事件〔平成２７年　９月　３日出願公開、特開２０１５−１５７１５６号〕について、次のとおり審決する。
【結　論】
　本件審判の請求は、成り立たない。
【理　由】
１　手続の経緯・本願発明
　本願は、平成２５年２月１８日に出願した特願２０１３−２８５０７号の一部を平成２７年６月８日に新たな特許出願としたものであって、平成２８年２月２３日に手続補正書が提出され、同年７月１３日付けで拒絶の理由が通知され、同年９月９日に意見書及び手続補正書が提出され、同年１２月２７日付け（発送日：平成２９年１月１０日）で拒絶査定がなされ、これに対して、平成２９年３月２７日付けで拒絶査定不服審判の請求がなされると同時に手続補正がなされたものである。
　一方、当審において、平成２９年９月２８日付け（発送日：１０月３日）で拒絶理由を通知し、応答期間内である平成２９年１１月２８日に意見書及び手続補正書が提出されたところである。
　そして、この出願の請求項１に係る発明（以下「本願発明」という。）は、平成２９年１１月２８日付け手続補正書により補正された特許請求の範囲の請求項１に記載された次のとおりのものと認める（Ａ〜Ｌについては、発明特定事項を分説するため当審で付した。）。
「【請求項１】
Ａ　可変表示を行い、可変表示の表示結果としてあらかじめ定められた特定表示結果が導出表示されたことに応じて、遊技者にとって有利な特定状態に制御可能な遊技機であって、
Ｂ　未だ開始されていない可変表示に関する情報を保留記憶として記憶可能な保留記憶手段と、
Ｃ　前記保留記憶手段が記憶する前記保留記憶を特定可能な保留表示を行う保留表示手段と、
Ｄ　可変表示の表示結果を前記特定表示結果とするか否かを決定する決定手段と、
Ｅ　前記決定手段による決定前に、可変表示の表示結果が前記特定表示結果となるか否かを判定する判定手段と、
Ｆ　前記判定手段の判定結果にもとづいて、特定のタイミングで前記保留表示の表示態様を変化させる所定予告演出を実行する所定予告演出実行手段と、
Ｇ　予告演出を実行する予告演出実行手段と、
Ｈ　遊技に関する特定条件の成立回数をカウントするカウント手段と、
Ｉ　前記カウント手段によりカウントされた前記特定条件の成立回数に対応した第１報知を実行する回数報知手段と
　を備え、
Ｊ　前記回数報知手段は、遊技機への電力供給が停止した後に再度電力供給が開始された場合に、電力供給が停止する前に報知していた前記特定条件の成立回数よりも少ない回数に対応した報知を実行し、
Ｋ　前記予告演出のうちの特定予告演出が実行されてから該特定予告演出が実行された可変表示の表示結果の導出表示が終了するまで、該特定予告演出の実行中に新たに記憶された保留記憶を特定する保留表示、及び該特定予告演出の実行前に記憶された保留記憶を特定する保留表示について、前記所定予告演出を実行しない
　ことを特徴とする遊技機。」
２　刊行物
２−１　刊行物１
　当審において通知した拒絶の理由に引用された特開２０１２−２１７５４６号公報（以下、「刊行物１」という。）には、次の事項が図面とともに記載されている（下線部は当審で付した。）。
（ア）「【請求項１】
図柄始動手段が
遊技球を検出することに基づいて取得される変動記憶情報
前記変動記憶情報を前記図柄表示手段による図柄変動に供されるまで所定の上限個数を限度として記憶する情報記憶手段
前記情報記憶手段に記憶されている前記変動記憶情報の個数に関する保留個数情報を表示する保留個数情報表示手段
前記変動記憶情報の内容を、その変動記憶情報に基づく図柄変動開始時よりも前の所定のタイミングで判定する先読み判定手段
前記保留個数情報表示手段は、所定の先読み演出実行条件が成立した場合に、前記保留個数情報と共に前記先読み判定手段による判定結果に関する先読み判定情報を表示可能に構成されている
（イ）「【００１６】
　以下、本発明の実施形態を図面に基づいて詳述する。図１〜図１２は本発明を
パチンコ機
（ウ）「【００３０】
　第１，第２図柄変動演出表示手段３７ａ，３７ｂは、例えば
第１，第２特別図柄表示手段３２ａ，３２ｂによる第１，第２特別図柄の変動表示と時間的に同調して図柄変動演出を行うもので、夫々１個又は複数個、例えば左右方向に３個の第１，第２演出図柄を各種の演出画像と共に画像表示手段２１の表示画面２１ａに変動表示可能に構成されており
・・・
【００３２】
　
第１，第２演出図柄には、
３つの図柄が全て同じ図柄で揃ったものが大当たり態様
となっている。
・・・
【００３４】
　また
リーチ変動パターンは、
リーチ状態が成立するまでのリーチ前シナリオと、リーチ状態が成立してから変動停止するまでのリーチシナリオと、変動停止から確定までの確定シナリオとで構成され、
・・・
【００３６】
　
第１，第２特別保留個数表示手段（保留個数情報表示手段）３８ａ，３８ｂは、第１，第２特別保留個数分の第１，第２保留個数報知画像Ｘ，Ｙの表示個数により第１，第２特別保留個数を表示するもので、同一の表示画面２１ａ上の所定部分、例えば下部側に、第１，第２保留個数分の第１，第２保留個数報知画像Ｘ，Ｙを互いに上下に対応させて表示するようになっている。
（エ）「【００４７】
　
第１，第２特別図柄処理手段７４ａ，７４ｂは、第１，第２特別図柄の変動表示に関する処理を行うもので、
記憶された大当たり判定乱数値を取り出し、その大当たり判定乱数値（特定判定乱数値）が予め定められた大当たり判定値（特定判定値）と一致するか否かに応じて大当たり／外れの判定を行う大当たり判定機能
を備えている。
（オ）「【００６２】
　
図柄変動演出制御手段８３は、
変動パターンに基づいて所定の演出画像と共に第１，第２演出図柄の変動演出を開始させ、
（カ）「【００７０】
　以上の特別保留個数表示管理処理により、
リーチ変動パターンにおけるリーチシナリオ実行中は保留非表示期間となり、
【００７１】
　特別保留個数表示制御手段８５は、第１，第２特別保留個数表示手段３８ａ，３８ｂの表示制御を行うもので、例えば図８に示す特別保留個数表示制御処理を例えば定期割り込み毎に実行するようになっている。図８に示すように、
特別保留個数表示制御手段８５による特別保留個数表示制御処理では、
保留増加時処理（Ｓ１１）
が
実行されるようになっている。
【００７２】
　まず、図９に示す
保留増加時処理（図８のＳ１１）について説明する。
【００７３】
　ここで、先読み演出禁止期間は、先読み演出を行うことができないものと特別に定められた期間であって、例えば遊技機規則、その他に基づいて予め設定されているものとする。なお、この先読み演出禁止期間の開始／終了に関する情報は、第１，第２保留増加コマンド等に組み込んで送信してもよいし、専用のコマンドを設けてもよい。また、先読み演出フラグは、後述する先読み演出を行うか否かの抽選（Ｓ２４）に当選した場合に、その当選に係る保留記憶が図柄変動に供されるまでの期間中、ＯＮに設定されるようになっている。
【００７４】
　先読み演出禁止期間中でなく（Ｓ２２：Ｎｏ）、先読み演出フラグがＯＮでもない（Ｓ２３：Ｎｏ）場合には、先読み演出を行うか否かの抽選が行われ（Ｓ２４）、これに当選した場合には（Ｓ２５：Ｙｅｓ）、先読み演出フラグがＯＮに設定される（Ｓ２６）と共に、当該保留記憶に対応する先読み表示態様が抽選により選択される（Ｓ２７）。なお、
第１，第２特別図柄始動手段１８ａ，１８ｂに遊技球が入賞し、その保留記憶について先読み演出抽選に当選することが、所定の先読み演出実行条件成立の一例である。
【００７５】
　本実施形態では、第１，第２保留個数報知画像Ｘ，Ｙの表示態様として、先読み表示態様と先読み非表示態様とが設けられている。先読み表示態様は、先読み演出の抽選に当選した保留記憶に使用される表示態様で、図６に示すように、外れ保留記憶に対応する例えば緑色（図面上では斜線）の外れ表示態様と、通常確率時大当たり保留記憶に対応する例えば黄色（図面上では網掛け）の通常確率時大当たり表示態様と、確変時大当たり保留記憶に対応する例えば赤色（図面上では黒塗り）の確変時大当たり表示態様との３種類設けられている。また、先読み非表示態様は、先読み演出の抽選に当選していない保留記憶に使用される表示態様で、図６に示すように、例えば先読み表示態様の何れとも異なる白色（図面上では白抜きで示す）の表示態様となっている。即ち、
第１，第２特別保留個数表示手段３８ａ，３８ｂは、第１，第２保留個数報知画像Ｘ，Ｙの表示色によって先読み判定情報を表示するようになっている。
（キ）「【００８７】
　以上説明した特別保留個数表示管理手段８４による特別保留個数表示管理処理（図７）及び特別保留個数表示制御手段８５による特別保留個数表示制御処理（図８〜図１１）における、第１，第２保留個数報知画像Ｘ，Ｙの表示状態の変化の具体例を図１２に示す。図１２（ａ）（ｂ）において、
第２演出図柄がリーチ変動パターン３で変動を開始した段階では保留表示期間中であるため、画像表示手段２１の表示画面２１ａ上に第１，第２保留個数報知画像Ｘ，Ｙが通常表示状態で表示された状態となっている。
【００８８】
　
その後、リーチが成立してリーチシナリオの実行が開始されると、保留表示期間から保留非表示期間に変化するため（Ｓ５，Ｓ４１）、第１，第２保留個数報知画像Ｘ，Ｙが共に画像表示手段２１の表示画面２１ａから消去される（Ｓ４２）。この保留非表示期間中に例えば第２特別図柄始動手段１８ｂに遊技球が入賞すると、第２特別保留個数が例えば１から２に増加し、第２保留増加コマンドが主制御基板５１から演出制御基板５２に送信されるが（Ｓ２１）、保留非表示期間中であるため、この時点では第１，第２保留個数報知画像Ｘ，Ｙは非表示のままである。
・・・
【００９０】
　一方、保留非表示期間中の始動入賞時の先読み演出抽選（Ｓ２４）で当選した場合には、その保留記憶に対して先読み表示態様が抽選により選択されると共に（Ｓ２７）、表示変更待機フラグはＯＮとなり（Ｓ３１）、図１２（ｂ）に示すように、
確定シナリオの開始時、即ち保留非表示期間から保留表示期間に変化した時点で、非表示状態であった第１，第２保留個数報知画像Ｘ，Ｙがその時点での第１，第２特別保留個数分だけ画像表示手段２１の表示画面２１ａに先読み非表示状態で表示される（Ｓ４８）。
【００９１】
　そして、
次の図柄変動の開始時に主制御基板５１から演出制御基板５２に第２保留減少コマンドが送信されると（Ｓ５１：Ｙｅｓ）、第１，第２保留個数報知画像Ｘ，Ｙが先読み非表示状態から通常表示状態に変更される（Ｓ５４）。即ち、保留非表示期間中に先読み演出抽選に当選した保留記憶に対応する第２保留個数報知画像Ｙが、先読み非表示態様から先読み表示態様に切り換えられる。続いて、新たな図柄変動に係る第２特別保留個数が１減少し、第２保留個数報知画像Ｙが、画像表示手段２１の表示画面２１ａ上で前側にシフトされる（Ｓ６４）。
（ク）【図１２】には、パチンコ機のリーチ変動パターンでの図柄変動中における第１，第２保留個数報知画像の表示状態の例を示す図が図示され、演出図柄の変動が停止してリーチシナリオが終了すると、該リーチシナリオの後は確定シナリオが続くことが図示されている。
　上記（ア）〜（キ）の記載事項及び（ク）の図示内容から、以下の事項が導かれる。
（ａ）上記（ウ）の【００３０】に「・・・第１，第２特別図柄表示手段３２ａ，３２ｂによる第１，第２特別図柄の変動表示と時間的に同調して図柄変動演出を行うもので、夫々１個又は複数個、例えば左右方向に３個の第１，第２演出図柄を各種の演出画像と共に画像表示手段２１の表示画面２１ａに変動表示可能に構成されており、・・・」、【００３２】に「第１，第２演出図柄には、・・・３つの図柄が全て同じ図柄で揃ったものが大当たり態様・・・となっている。」と記載されている。
　また、上記（イ）の【００１６】に「パチンコ機」と記載されている。
　したがって、刊行物１には、
特別図柄の変動表示と時間的に同調して演出図柄を変動表示し、演出図柄の３つの図柄が全て同じ図柄で揃って停止したことに基づいて大当たり態様となるパチンコ機
（ｂ）上記（ア）の【請求項１】に「・・・遊技球を検出することに基づいて取得される変動記憶情報・・・前記変動記憶情報を前記図柄表示手段による図柄変動に供されるまで所定の上限個数を限度として記憶する情報記憶手段」と記載されている。
　したがって、刊行物１には、
遊技球を検出することに基づいて取得される変動記憶情報を図柄表示手段による図柄変動に供されるまで所定の上限個数を限度として記憶する情報記憶手段
（ｃ）上記（ア）の【請求項１】に「前記情報記憶手段に記憶されている前記変動記憶情報の個数に関する保留個数情報を表示する保留個数情報表示手段」と記載され、上記（ウ）の【００３６】に「第１，第２特別保留個数表示手段（保留個数情報表示手段）３８ａ，３８ｂは、第１，第２特別保留個数分の第１，第２保留個数報知画像Ｘ，Ｙの表示個数により第１，第２特別保留個数を表示するもので、同一の表示画面２１ａ上の所定部分、例えば下部側に、第１，第２保留個数分の第１，第２保留個数報知画像Ｘ，Ｙを互いに上下に対応させて表示するようになっている。」と記載されている。
　したがって、刊行物１には、
前記情報記憶手段に記憶されている前記変動記憶情報の個数に関する保留個数報知画像を表示する保留個数情報表示手段
（ｄ）上記（エ）の【００４７】に「第１，第２特別図柄処理手段７４ａ，７４ｂは、第１，第２特別図柄の変動表示に関する処理を行うもので、・・・記憶された大当たり判定乱数値を取り出し、その大当たり判定乱数値（特定判定乱数値）が予め定められた大当たり判定値（特定判定値）と一致するか否かに応じて大当たり／外れの判定を行う大当たり判定機能・・・を備えている。」と記載されている。
　したがって、刊行物１には、
特別図柄の変動表示に関する処理を行うもので、記憶された大当たり判定乱数値を取り出し、その大当たり判定乱数値（特定判定乱数値）が予め定められた大当たり判定値（特定判定値）と一致するか否かに応じて大当たり／外れの判定を行う大当たり判定機能を備えている特別図柄処理手段
（ｅ）上記（ア）の【請求項１】に「前記変動記憶情報の内容を、その変動記憶情報に基づく図柄変動開始時よりも前の所定のタイミングで判定する先読み判定手段」と記載されている。
（ｆ）上記（カ）の【００７１】に「特別保留個数表示制御手段８５による特別保留個数表示制御処理では、・・・保留増加時処理（Ｓ１１）・・・が・・・実行されるようになっている。」、【００７２】に「保留増加時処理（図８のＳ１１）について説明する。」、【００７４】に「第１，第２特別図柄始動手段１８ａ，１８ｂに遊技球が入賞し、その保留記憶について先読み演出抽選に当選することが、所定の先読み演出実行条件成立の一例である。」、【００７５】に「第１，第２特別保留個数表示手段３８ａ，３８ｂは、第１，第２保留個数報知画像Ｘ，Ｙの表示色によって先読み判定情報を表示するようになっている。」と記載されている。
　また、上記（ア）の【請求項１】に「前記保留個数情報表示手段は、所定の先読み演出実行条件が成立した場合に、前記保留個数情報と共に前記先読み判定手段による判定結果に関する先読み判定情報を表示可能に構成されている」と記載されている。
　したがって、刊行物１には、
特別図柄始動手段に遊技球が入賞し、その保留記憶について先読み演出抽選に当選する場合、保留個数情報と共に前記先読み判定手段による判定結果に関する先読み判定情報を表示する特別保留個数表示制御手段
（ｇ）上記（ウ）の【００３４】に「リーチ変動パターンは、・・・リーチ状態が成立するまでのリーチ前シナリオと、リーチ状態が成立してから変動停止するまでのリーチシナリオと、変動停止から確定までの確定シナリオとで構成され、・・・」と記載されている。
　また、上記（オ）の【００６２】に「図柄変動演出制御手段８３は、・・・変動パターンに基づいて所定の演出画像と共に第１，第２演出図柄の変動演出を開始させ、・・・」と記載されている。
　したがって、刊行物１には、
リーチ状態が成立するまでのリーチ前シナリオと、リーチ状態が成立してから変動停止するまでのリーチシナリオと、変動停止から確定までの確定シナリオとで構成されるリーチ変動パターンに基づいて所定の演出画像と共に演出図柄の変動演出を開始させる図柄変動演出制御手段
（ｋ）上記（カ）の【００７０】に「・・・リーチ変動パターンにおけるリーチシナリオ実行中は保留非表示期間となり、・・・」と記載され、上記（キ）の【００８８】に「その後、リーチが成立してリーチシナリオの実行が開始されると、保留表示期間から保留非表示期間に変化するため（Ｓ５，Ｓ４１）、第１，第２保留個数報知画像Ｘ，Ｙが共に画像表示手段２１の表示画面２１ａから消去される（Ｓ４２）。この保留非表示期間中に例えば第２特別図柄始動手段１８ｂに遊技球が入賞すると、第２特別保留個数が例えば１から２に増加し、第２保留増加コマンドが主制御基板５１から演出制御基板５２に送信されるが（Ｓ２１）、保留非表示期間中であるため、この時点では第１，第２保留個数報知画像Ｘ，Ｙは非表示のままである。」、【００８７】に「第２演出図柄がリーチ変動パターン３で変動を開始した段階では保留表示期間中であるため、画像表示手段２１の表示画面２１ａ上に第１，第２保留個数報知画像Ｘ，Ｙが通常表示状態で表示された状態となっている。」と記載されているから、実行中は保留非表示期間となるリーチシナリオの実行が開始されると、該リーチシナリオの実行中に特別図柄始動手段に遊技球が入賞して新たに記憶された保留記憶に対応する保留個数報知画像、及びリーチシナリオの実行前に記憶された保留記憶に対応する保留個数報知画像は消去されて、該リーチシナリオの実行中は非表示となることが記載されているといえる。ここで、保留個数報知画像は消去されて非表示とされるから、該保留個数報知画像について上記（ｆ）で言及した「先読み判定情報」を表示しないことは明らかである。
　また、上記（ク）で言及したように【図１２】には、演出図柄の変動が停止してリーチシナリオが終了すると、該リーチシナリオの後は確定シナリオが続くことが図示され、上記（キ）の【００９０】に「確定シナリオの開始時、即ち保留非表示期間から保留表示期間に変化した時点で、非表示状態であった第１，第２保留個数報知画像Ｘ，Ｙがその時点での第１，第２特別保留個数分だけ画像表示手段２１の表示画面２１ａに先読み非表示状態で表示される（Ｓ４８）。」、【００９１】に「次の図柄変動の開始時に主制御基板５１から演出制御基板５２に第２保留減少コマンドが送信されると（Ｓ５１：Ｙｅｓ）、第１，第２保留個数報知画像Ｘ，Ｙが先読み非表示状態から通常表示状態に変更される（Ｓ５４）。即ち、保留非表示期間中に先読み演出抽選に当選した保留記憶に対応する第２保留個数報知画像Ｙが、先読み非表示態様から先読み表示態様に切り換えられる。続いて、新たな図柄変動に係る第２特別保留個数が１減少し、第２保留個数報知画像Ｙが、画像表示手段２１の表示画面２１ａ上で前側にシフトされる（Ｓ６４）。」と記載されているから、演出図柄の変動が停止して、リーチシナリオが終了し、確定シナリオとなった後、次の図柄変動の開始時に第２保留減少コマンドが送信されて、新たな図柄変動に係る第２特別保留個数が１減少し、第２保留個数報知画像Ｙが、画像表示手段２１の表示画面２１ａ上で前側にシフトされる前まで、保留個数報知画像について先読み判定情報を表示しないことが記載されているといえる。
　さらに、上記（イ）の【００１６】に「パチンコ機」と記載されている。
　したがって、刊行物１には、
演出図柄の変動が停止して、保留非表示期間中となるリーチシナリオが終了し、確定シナリオとなった後、次の図柄変動の開始時に第２保留減少コマンドが送信されて、新たな図柄変動に係る第２特別保留個数が１減少し、第２保留個数報知画像Ｙが、画像表示手段２１の表示画面２１ａ上で前側にシフトされる前まで、該リーチシナリオの実行中に特別図柄始動手段に遊技球が入賞して新たに記憶された保留記憶に対応する保留個数報知画像、及び該リーチシナリオの実行前に記憶された保留記憶に対応する保留個数報知画像について、先読み判定情報を表示しないパチンコ機
　以上（ア）〜（キ）の記載事項、（ク）の図示内容及び上記（ａ）〜（ｇ）、（ｋ）の認定事項を総合すれば、刊行物１には、以下の発明（以下、「刊行物発明」という。）が記載されている（ａ〜ｇ、ｋは発明の構成を分説するため当審で付した。）。
「ａ　特別図柄の変動表示と時間的に同調して演出図柄を変動表示し、演出図柄の３つの図柄が全て同じ図柄で揃って停止したことに基づいて大当たり態様となるパチンコ機であって、 
ｂ　遊技球を検出することに基づいて取得される変動記憶情報を図柄表示手段による図柄変動に供されるまで所定の上限個数を限度として記憶する情報記憶手段と、
ｃ　前記情報記憶手段に記憶されている前記変動記憶情報の個数に関する保留個数報知画像を表示する保留個数情報表示手段と、　 
ｄ　特別図柄の変動表示に関する処理を行うもので、記憶された大当たり判定乱数値を取り出し、その大当たり判定乱数値（特定判定乱数値）が予め定められた大当たり判定値（特定判定値）と一致するか否かに応じて大当たり／外れの判定を行う大当たり判定機能を備えている特別図柄処理手段と、 
ｅ　前記変動記憶情報の内容を、その変動記憶情報に基づく図柄変動開始時よりも前の所定のタイミングで判定する先読み判定手段と、
ｆ　特別図柄始動手段に遊技球が入賞し、その保留記憶について先読み演出抽選に当選する場合、保留個数情報と共に前記先読み判定手段による判定結果に関する先読み判定情報を表示する特別保留個数表示制御手段と、 
ｇ　リーチ状態が成立するまでのリーチ前シナリオと、リーチ状態が成立してから変動停止するまでのリーチシナリオと、変動停止から確定までの確定シナリオとで構成されるリーチ変動パターンに基づいて所定の演出画像と共に演出図柄の変動演出を開始させる図柄変動演出制御手段と、 
　を備え、
ｋ　演出図柄の変動が停止して、保留非表示期間中となるリーチシナリオが終了し、確定シナリオとなった後、次の図柄変動の開始時に第２保留減少コマンドが送信されて、新たな図柄変動に係る第２特別保留個数が１減少し、第２保留個数報知画像Ｙが、画像表示手段２１の表示画面２１ａ上で前側にシフトされる前まで、該リーチシナリオの実行中に特別図柄始動手段に遊技球が入賞して新たに記憶された保留記憶に対応する保留個数報知画像、及び該リーチシナリオの実行前に記憶された保留記憶に対応する保留個数報知画像について、先読み判定情報を表示しないパチンコ機。」
２−２　刊行物２
　当審において通知した拒絶の理由に引用された特開２０１２−１２０６２７号公報（以下、「刊行物２」という。）の【０３３０】に「・・・ランクアップ演出に、現在の連荘数を表す文字表示（例えば「５連荘目」）を加え、装飾図柄表示装置２０８に表示させるようにしてもよい。この場合、復電時には、電断直前に表示されていた連荘数を表す文字表示よりも数が少ない文字表示（例えば、「１連荘目」）を表示させる・・・」と記載されている。
　したがって、刊行物２には、ランクアップ演出に、現在の連荘数を表す文字表示（例えば「５連荘目」）を加えて装飾図柄表示装置２０８に表示させ、大当り遊技中に電源断が生じ、復電する場合、電断直前に表示されていた連荘数を表す文字表示よりも数が少ない文字表示（例えば、「１連荘目」）を表示させることが記載されている。
３　対比
　本願発明と刊行物発明とを対比する。なお、見出しは（ａ）〜（ｇ）、（ｋ）とし、本願発明、刊行物発明の分説に対応させている。
（ａ）刊行物発明の「演出図柄を変動表示」すること、「演出図柄の３つの図柄が全て同じ図柄で揃って停止したこと」、「大当たり態様」、「パチンコ機」は、それぞれ、本願発明の「可変表示を行」うこと、「あらかじめ定められた特定表示結果が導出表示されたこと」、「遊技者にとって有利な特定状態」、「遊技機」に相当する。
　また、刊行物発明の「パチンコ機」は、「演出図柄の３つの図柄が全て同じ図柄で揃って停止したことに基づいて大当たり態様となる」ことから、大当たり態様となるように制御可能であることは明らかである。
　したがって、刊行物発明の「特別図柄の変動表示と時間的に同調して演出図柄を変動表示し、演出図柄の３つの図柄が全て同じ図柄で揃って停止したことに基づいて大当たり態様となるパチンコ機」は、本願発明の「可変表示を行い、可変表示の表示結果としてあらかじめ定められた特定表示結果が導出表示されたことに応じて、遊技者にとって有利な特定状態に制御可能な遊技機」に相当する。
（ｂ）刊行物発明の「遊技球を検出することに基づいて取得される変動記憶情報」は、本願発明の「可変表示に関する情報」に相当する。
　また、刊行物発明の「図柄表示手段による図柄変動に供されるまで所定の上限個数を限度として記憶する」ことは、図柄表示手段による図柄変動に供されるまで記憶するから、記憶されている間は図柄表示手段による図柄変動は未だ開始されていないといえるので、本願発明の「未だ開始されていない」「情報を保留記憶として記憶」することに相当する。
　そして、刊行物発明の「情報記憶手段」は「記憶する」ことから、記憶可能であることを含むことは明らかである。
　したがって、刊行物発明の「遊技球を検出することに基づいて取得される変動記憶情報を図柄表示手段による図柄変動に供されるまで所定の上限個数を限度として記憶する情報記憶手段」は、本願発明の「未だ開始されていない可変表示に関する情報を保留記憶として記憶可能な保留記憶手段」に相当する。
（ｃ）刊行物発明の「変動記憶情報の個数に関する保留個数報知画像を表示する」ことは、本願発明の「保留記憶を特定可能な保留表示を行う」ことに相当する。
　したがって、上記（ｂ）で言及したように刊行物発明の「情報記憶手段」は、本願発明の「保留記憶手段」に相当するから、刊行物発明の「前記情報記憶手段に記憶されている前記変動記憶情報の個数に関する保留個数報知画像を表示する保留個数情報表示手段」は、本願発明の「前記保留記憶手段が記憶する前記保留記憶を特定可能な保留表示を行う保留表示手段」に相当する。
（ｄ）刊行物発明の「記憶された大当たり判定乱数値を取り出し、その大当たり判定乱数値（特定判定乱数値）が予め定められた大当たり判定値（特定判定値）と一致するか否かに応じて大当たり／外れの判定を行う」ことは、本願発明の「可変表示の表示結果を前記特定表示結果とするか否かを決定する」ことに相当する。
　したがって、刊行物発明の「特別図柄の変動表示に関する処理を行うもので、記憶された大当たり判定乱数値を取り出し、その大当たり判定乱数値（特定判定乱数値）が予め定められた大当たり判定値（特定判定値）と一致するか否かに応じて大当たり／外れの判定を行う大当たり判定機能を備えている特別図柄処理手段」は、本願発明の「可変表示の表示結果を前記特定表示結果とするか否かを決定する決定手段」に相当する。
（ｅ）刊行物発明の「その変動記憶情報に基づく図柄変動開始時よりも前」とは、本願発明の「決定手段による決定前」に相当する。
　また、刊行物発明の「前記変動記憶情報の内容を」「判定する」ことは、本願発明の「可変表示の表示結果が前記特定表示結果となるか否かを判定する」ことに相当する。
　したがって、刊行物発明の「前記変動記憶情報の内容を、その変動記憶情報に基づく図柄変動開始時よりも前の所定のタイミングで判定する先読み判定手段」は、本願発明の「前記決定手段による決定前に、可変表示の表示結果が前記特定表示結果となるか否かを判定する判定手段」に相当する。
（ｆ）刊行物発明の「先読み判定情報を表示する」ことは、本願発明の「所定予告演出」に相当する。
　また、刊行物発明は、「特別図柄始動手段に遊技球が入賞し」たことに応じて、保留個数情報と共に先読み判定手段による判定結果に関する先読み判定情報を表示するから、刊行物発明の「特別図柄始動手段に遊技球が入賞」したタイミングは、本願発明の「特定のタイミング」に相当する。
　したがって、刊行物発明の「特別図柄始動手段に遊技球が入賞し、その保留記憶について先読み演出抽選に当選する場合、保留個数情報と共に前記先読み判定手段による判定結果に関する先読み判定情報を表示する特別保留個数表示制御手段」は、本願発明の「前記判定手段の判定結果にもとづいて、特定のタイミングで前記保留表示の表示態様を変化させる所定予告演出を実行する所定予告演出実行手段」に相当する。
（ｇ）刊行物発明の「リーチ状態が成立するまでのリーチ前シナリオと、リーチ状態が成立してから変動停止するまでのリーチシナリオと、変動停止から確定までの確定シナリオとで構成されるリーチ変動パターンに基づいて所定の演出画像と共に演出図柄の変動演出」は、本願発明の「予告演出」に相当する。
　したがって、刊行物発明の「リーチ状態が成立するまでのリーチ前シナリオと、リーチ状態が成立してから変動停止するまでのリーチシナリオと、変動停止から確定までの確定シナリオとで構成されるリーチ変動パターンに基づいて所定の演出画像と共に演出図柄の変動演出を開始させる図柄変動演出制御手段」は、本願発明の「予告演出を実行する予告演出実行手段」に相当する。
（ｋ）刊行物発明の「リーチシナリオ」、「該リーチシナリオの実行中に特別図柄始動手段に遊技球が入賞して新たに記憶された保留記憶に対応する保留個数報知画像」、「該リーチシナリオの実行前に記憶された保留記憶に対応する保留個数報知画像」は、それぞれ本願発明の「特定予告演出」、「該特定予告演出の実行中に新たに記憶された保留記憶を特定する保留表示」、「該特定予告演出の実行前に記憶された保留記憶を特定する保留表示」に相当する。
　ここで、刊行物発明の「次の図柄変動の開始時に第２保留減少コマンドが送信されて、新たな図柄変動に係る第２特別保留個数が１減少し、第２保留個数報知画像Ｙが、画像表示手段２１の表示画面２１ａ上で前側にシフトされる前」の時点では、前の図柄変動の演出図柄の変動停止が確定していることが明らかであるから、刊行物発明の「演出図柄の変動が停止して、保留非表示期間中となるリーチシナリオが終了し、確定シナリオとなった後、次の図柄変動の開始時に第２保留減少コマンドが送信されて、新たな図柄変動に係る第２特別保留個数が１減少し、第２保留個数報知画像Ｙが、画像表示手段２１の表示画面２１ａ上で前側にシフトされる前まで」の期間と、本願発明の「前記予告演出のうちの特定予告演出が実行されてから該特定予告演出が実行された可変表示の表示結果の導出表示が終了するまで」の期間とを対比すると、「前記予告演出のうちの特定予告演出が実行されてから」、少なくとも、演出図柄の変動停止が確定するまでの期間が共通しているといえる。
　したがって、刊行物発明の「演出図柄の変動が停止して、保留非表示期間中となるリーチシナリオが終了し、確定シナリオとなった後、次の図柄変動の開始時に第２保留減少コマンドが送信されて、新たな図柄変動に係る第２特別保留個数が１減少し、第２保留個数報知画像Ｙが、画像表示手段２１の表示画面２１ａ上で前側にシフトされる前まで、該リーチシナリオの実行中に特別図柄始動手段に遊技球が入賞して新たに記憶された保留記憶に対応する保留個数報知画像、及び該リーチシナリオの実行前に記憶された保留記憶に対応する保留個数報知画像について、先読み判定情報を表示しないパチンコ機」と、本願発明の「前記予告演出のうちの特定予告演出が実行されてから該特定予告演出が実行された可変表示の表示結果の導出表示が終了するまで、該特定予告演出の実行中に新たに記憶された保留記憶を特定する保留表示、及び該特定予告演出の実行前に記憶された保留記憶を特定する保留表示について、前記所定予告演出を実行しない」「遊技機」とは、「前記予告演出のうちの特定予告演出が実行されてから」、少なくとも、演出図柄の変動停止が確定する「まで、該特定予告演出の実行中に新たに記憶された保留記憶を特定する保留表示、及び該特定予告演出の実行前に記憶された保留記憶を特定する保留表示について、前記所定予告演出を実行しない」「遊技機」という点で共通する。
　上記（ａ）〜（ｇ）、（ｋ）の対比により、本願発明と刊行物発明とは、 
「Ａ　可変表示を行い、可変表示の表示結果としてあらかじめ定められた特定表示結果が導出表示されたことに応じて、遊技者にとって有利な特定状態に制御可能な遊技機であって、
Ｂ　未だ開始されていない可変表示に関する情報を保留記憶として記憶可能な保留記憶手段と、
Ｃ　前記保留記憶手段が記憶する前記保留記憶を特定可能な保留表示を行う保留表示手段と、
Ｄ　可変表示の表示結果を前記特定表示結果とするか否かを決定する決定手段と、
Ｅ　前記決定手段による決定前に、可変表示の表示結果が前記特定表示結果となるか否かを判定する判定手段と、
Ｆ　前記判定手段の判定結果にもとづいて、特定のタイミングで前記保留表示の表示態様を変化させる所定予告演出を実行する所定予告演出実行手段と、
Ｇ　予告演出を実行する予告演出実行手段と、
　を備え、
Ｋ’　前記予告演出のうちの特定予告演出が実行されてから、少なくとも、演出図柄の変動停止が確定するまで、該特定予告演出の実行中に新たに記憶された保留記憶を特定する保留表示、及び該特定予告演出の実行前に記憶された保留記憶を特定する保留表示について、前記所定予告演出を実行しない
　遊技機。」
である点で一致し、以下の点で相違する。
［相違点１］
　本願発明では、「遊技に関する特定条件の成立回数をカウントするカウント手段と、前記カウント手段によりカウントされた前記特定条件の成立回数に対応した第１報知を実行する回数報知手段とを備え、前記回数報知手段は、遊技機への電力供給が停止した後に再度電力供給が開始された場合に、電力供給が停止する前に報知していた前記特定条件の成立回数よりも少ない回数に対応した報知を実行し」（構成Ｈ、Ｉ、Ｊ）ているのに対し、刊行物発明では、このような特定がされていない点。
［相違点２］
　「該特定予告演出の実行中に新たに記憶された保留記憶を特定する保留表示、及び該特定予告演出の実行前に記憶された保留記憶を特定する保留表示について、所定予告演出を実行しない」のは、本願発明では「特定予告演出が実行された可変表示の表示結果の導出表示が終了するまで」（構成Ｋ）であるのに対し、刊行物発明では「次の図柄変動の開始時に第２保留減少コマンドが送信されて、新たな図柄変動に係る第２特別保留個数が１減少し、第２保留個数報知画像Ｙが、画像表示手段２１の表示画面２１ａ上で前側にシフトされる前まで」である点。
 ４　判断 
　上記相違点１、２について検討する。
４−１ 相違点１
　刊行物２に、ランクアップ演出に、現在の連荘数を表す文字表示（例えば「５連荘目」）を加えて装飾図柄表示装置２０８に表示させ、大当り遊技中に電源断が生じ、復電する場合、電断直前に表示されていた連荘数を表す文字表示よりも数が少ない文字表示（例えば、「１連荘目」）を表示させることが記載されている。
　ここで、刊行物２の【０３１２】に「一般的に、出球が減らない状態の間に、繰り返し特図の大当りに当選することを連荘と称する。したがって、電サポ状態の間に特図の大当りに繰り返し当選することが連荘と称される。」と記載されているから、上記刊行物２に記載される「連荘数」とは、電サポ状態の間に特図の大当りに当選した回数のことである。そうすると、刊行物２に記載される該「電サポ状態の間に特図の大当りに当選」することは、本願発明の「特定条件の成立」に相当するといえるから、刊行物２に記載される「連荘数」は、本願発明の「特定条件の成立回数」に相当する。
　そして、刊行物１、２は共にパチンコ遊技機においての画像表示手段により演出を行う技術に関する点で共通するから、刊行物発明に刊行物２の記載事項を適用して、上記相違点１に係る本願発明の構成とすることは、当業者が容易に想到し得たものである。
　したがって、刊行物発明において、刊行物２の記載事項を採用して当該相違点１に係る本願発明の構成とすることは、当業者が容易になし得たものである。
４−２　相違点２
　本願明細書の例えば【００４０】に「表示結果を導出表示するとは、図柄（識別情報の例）を最終的に停止表示させることである。」と記載されている。そうすると、刊行物発明の「次の図柄変動の開始時に第２保留減少コマンドが送信されて、新たな図柄変動に係る第２特別保留個数が１減少し、第２保留個数報知画像Ｙが、画像表示手段２１の表示画面２１ａ上で前側にシフトされる前」の時点では、前の図柄変動の演出図柄の変動停止が確定していることが明らかであるから、「図柄（識別情報の例）を最終的に停止表示させること」自体は終了している。
　よって、刊行物発明の「演出図柄の変動が停止して、保留非表示期間中となるリーチシナリオが終了し、確定シナリオとなった後、次の図柄変動の開始時に第２保留減少コマンドが送信されて、新たな図柄変動に係る第２特別保留個数が１減少し、第２保留個数報知画像Ｙが、画像表示手段２１の表示画面２１ａ上で前側にシフトされる前まで」と、本願発明の「前記予告演出のうちの特定予告演出が実行されてから該特定予告演出が実行された可変表示の表示結果の導出表示が終了するまで」とは一致し、相違しない。
　また、仮に本願発明の構成Ｋにおける「可変表示の表示結果の導出表示が終了するまで」とは、特定予告演出が実行された可変表示において図柄を最終的に停止表示した後、その図柄の表示がなくなるまでであるとしても検討する。
　まず、刊行物発明では先読み非表示態様から先読み表示態様に切り換えられるのは、次の図柄変動の開始時の処理である主制御基板５１から演出制御基板５２に第２保留減少コマンドが送信される時点である。ここで、該第２保留減少コマンドが送信される時点と、第２保留減少コマンドが送信されて、新たな図柄変動に係る第２特別保留個数が１減少し、第２保留個数報知画像Ｙが、画像表示手段２１の表示画面２１ａ上で前側にシフトされて次の図柄変動の開始された時点とは、共に、次の図柄変動の開始であることから極めて短い時間であり、この極めて短い時間の中で先読み非表示態様から先読み表示態様に切り換えるタイミングをどこに設定するかは設計上の微差である。このため、該先読み非表示態様から先読み表示態様への切り換えを、次の図柄変動開始時の演出制御基板５２が主制御基板５１から保留減少コマンドを受信して新たな図柄変動に係る第２特別保留個数を１減少し、第２保留個数報知画像Ｙが画像表示手段２１の表示画面２１ａ上で前側にシフトする
前の時点
時点
後の時点
　また、刊行物１には、演出図柄の変動が停止して、保留非表示期間中となるリーチシナリオが終了し、確定シナリオが開始された後においては、該停止した演出図柄を変更するような実施形態は記載されていないので、確定シナリオが開始された後であって、かつ、次の図柄変動の開始時であれば、先読み非表示態様から先読み表示態様に切り換えられるのを、次の図柄変動の開始時の演出制御基板５２が主制御基板５１から保留減少コマンドを受信して新たな図柄変動に係る第２特別保留個数を１減少し、第２保留個数報知画像Ｙが画像表示手段２１の表示画面２１ａ上で前側にシフトする
前の時点
時点
後の時点
　したがって、刊行物発明において、先読み非表示態様から先読み表示態様への切り換えを、次の図柄変動の開始時であって、演出制御基板５２が主制御基板５１から保留減少コマンドを受信して新たな図柄変動に係る第２特別保留個数を１減少し、第２保留個数報知画像Ｙが画像表示手段２１の表示画面２１ａ上で前側にシフトした時点または該シフトした後の時点、つまり、リーチシナリオが実行された演出図柄の変動において表示された該演出図柄の停止図柄を表示するのを終了した後の時点に変更して、当該相違点２に係る本願発明の構成とすることは、当業者が容易になし得たものである。
５　審判請求人の主張について
　請求人は、平成２９年１１月２８日付けの意見書の第６頁第１１−１７行目に記載されるように「このように、刊行物１に記載の発明は、「・・・該特定予告演出が実行された可変表示の表示結果の導出表示が終了するまで、・・・前記所定予告演出を実行しない」との構成、及び「・・・該特定リーチ演出が実行された可変表示の表示結果の導出表示が終了するまで、・・・前記所定予告演出を実行しない」との構成を有するものではない。
　そのため、刊行物１に記載の発明では、特定予告演出や特定リーチ演出が実行されたにもかかわらず、その可変表示の表示結果として特定表示結果が導出表示されることへの期待感を損ねてしまう蓋然性が高い。」と主張しているものの、上記４で検討したとおり、刊行物発明の「次の図柄変動の開始時に第２保留減少コマンドが送信されて、新たな図柄変動に係る第２特別保留個数が１減少し、第２保留個数報知画像Ｙが、画像表示手段２１の表示画面２１ａ上で前側にシフトされる前」の時点では、「図柄（識別情報の例）を最終的に停止表示させること」自体は終了しているから、刊行物発明は「・・・該特定予告演出が実行された可変表示の表示結果の導出表示が終了するまで、・・・前記所定予告演出を実行しない」との構成（または「・・・該特定リーチ演出が実行された可変表示の表示結果の導出表示が終了するまで、・・・前記所定予告演出を実行しない」との構成）を有しているので、上記請求人の主張は採用できない。また、仮に本願発明の構成Ｋにおける「可変表示の表示結果の導出表示が終了するまで」とは、特定予告演出が実行された可変表示において図柄を最終的に停止表示した後、その図柄の表示がなくなるまでであるとしても、上記４で検討したとおり、刊行物発明において、先読み非表示態様から先読み表示態様への切り換えを、次の図柄変動の開始時であって、演出制御基板５２が主制御基板５１から保留減少コマンドを受信して新たな図柄変動に係る第２特別保留個数を１減少し、第２保留個数報知画像Ｙが画像表示手段２１の表示画面２１ａ上で前側にシフトした時点または該シフトした後の時点に変更することは、当業者が容易になし得たものであって、該変更によって上記期待感を損ねることにならないから、上記請求人が主張する効果は、刊行物発明から予測し得る範囲のものであり格別なものとはいえないので、上記請求人の主張は採用できない。
　また、請求人は、平成２９年１１月２８日付けの意見書の第６頁第１９−２２行目に記載されるように「刊行物１に記載の発明は、「・・・該特定予告演出の実行前に記憶された保留記憶を特定する保留表示について、前記所定予告演出を実行しない」との構成、及び「・・・該特定リーチ演出の実行前に記憶された保留記憶を特定する保留表示について、前記所定予告演出を実行しない」との構成を有するものではない。」と主張しているものの、上記２で検討したとおり、刊行物発明においては、先読み非表示態様となり先読み判定情報を表示しないのは、リーチシナリオの実行中に特別図柄始動手段に遊技球が入賞して新たに記憶された保留記憶に対応する保留個数報知画像、及び該リーチシナリオの実行前に記憶された保留記憶に対応する保留個数報知画像であるから、刊行物発明は「・・・該特定予告演出の実行前に記憶された保留記憶を特定する保留表示について、前記所定予告演出を実行しない」との構成（または「・・・該特定リーチ演出の実行前に記憶された保留記憶を特定する保留表示について、前記所定予告演出を実行しない」との構成）を有しているので、上記請求人の主張は採用できない。
 ６　むすび 
　以上のとおりであるから、本願発明は、刊行物発明及び刊行物２の記載事項に基づいて当業者が容易に発明をすることができたものであり、特許法第２９条第２項の規定により特許を受けることができない。
　したがって、本願は、拒絶されるべきものである。
　よって、結論のとおり審決する。